(57)【要約】  ワイヤレスヘッドセットは、２つ以上のオーディオソースへの同時接続をサポートしており、異なるソースからのオーディオを並行して出力できる。オーディオは、音声および／またはオーディオプレーバック、例えば音楽のプレーバックを含んでいてもよい。ワイヤレスヘッドセットは、第１のソースから第１のオーディオ入力を受信するように構成されている第１のトランシーバと、第２のソースから第２のオーディオ入力を受信するように構成されている第２のトランシーバと、第１のオーディオ入力と第２のオーディオ入力とを合成して出力オーディオにするように構成されているオーディオミキサーとを備えている。【選択図】    図１
2012511869.tif 000002
【特許請求の範囲】
【請求項１】
ワイヤレスヘッドセットにおいて、
第１のソースから第１のオーディオ入力を受信するように構成されている第１のトランシーバと、
第２のソースから第２のオーディオ入力を受信するように構成されている第２のトランシーバと、
前記第１のオーディオ入力と前記第２のオーディオ入力とを合成して出力オーディオにするように構成されているオーディオミキサーとを具備するワイヤレスヘッドセット。
【請求項２】
前記オーディオミキサーは、
前記第１のオーディオ入力と前記第２のオーディオ入力のそれぞれを重み付けし、それにより、重み付けしたオーディオ入力を生成させるように構成されている行列要素を備える請求項１記載のワイヤレスヘッドセット。
【請求項３】
前記行列要素は、前記重み付けしたオーディオ入力を合計するように構成されている請求項２記載のワイヤレスヘッドセット。
【請求項４】
前記オーディオミキサーは、
前記出力オーディオ中に前記第１のオーディオ入力のみを含めること、
前記出力オーディオ中に前記第２のオーディオ入力のみを含めること、または、
前記出力オーディオ中に前記第１のオーディオ入力と前記第２のオーディオ入力との双方を含めることにより、
前記第１のオーディオ入力と前記第２のオーディオ入力とを選択的に合成する請求項１記載のワイヤレスヘッドセット。
【請求項５】
前記第１のオーディオ入力は、音声を表す請求項１記載のワイヤレスヘッドセット。
【請求項６】
前記第２のオーディオ入力は、ステレオオーディオを表す請求項５記載のワイヤレスヘッドセット。
【請求項７】
第３のオーディオ入力を生成させるように構成されているマイクロフォンをさらに具備し、前記オーディオミキサーは、前記第１のオーディオ入力と、前記第２のオーディオ入力と、前記第３のオーディオ入力とを合成して、前記出力オーディオにするように構成されている請求項１記載のワイヤレスヘッドセット。
【請求項８】
前記第１のトランシーバと前記第２のトランシーバは、ブルートゥーストランシーバである請求項１記載のワイヤレスヘッドセット。
【請求項９】
ワイヤレスヘッドセットでオーディオを出力する方法において、
前記ワイヤレスヘッドセットにおいて、第１のソースから第１のオーディオ入力を受信することと、
前記ワイヤレスヘッドセットにおいて、第２のソースから第２のオーディオ入力を受信することと、
前記第１のオーディオ入力と前記第２のオーディオ入力とを混合して出力オーディオにすることと、
前記ワイヤレスヘッドセットから前記出力オーディオを出力することとを含む方法。
【請求項１０】
前記混合することは、
前記第１のオーディオ入力と前記第２のオーディオ入力のそれぞれを重み付けし、それにより、重み付けしたオーディオ入力を生成させることと、
前記重み付けしたオーディオ入力を合計することとを含む請求項９記載の方法。
【請求項１１】
前記混合することは、
前記出力オーディオ中に前記第１のオーディオ入力のみを含めること、
前記出力オーディオ中に前記第２のオーディオ入力のみを含めること、または、
前記出力オーディオ中に前記第１のオーディオ入力と前記第２のオーディオ入力との双方を含めることにより、
前記第１のオーディオ入力と前記第２のオーディオ入力とを選択的に合成することを含む請求項９記載の方法。
【請求項１２】
前記第１のオーディオ入力は、音声を表す請求項９記載の方法。
【請求項１３】
前記第２のオーディオ入力は、ステレオオーディオを表す請求項５記載の方法。
【請求項１４】
マイクロフォンから第３のオーディオ入力を受信することと、
前記第１のオーディオ入力と、前記第２のオーディオ入力と、前記第３のオーディオ入力とを混合して、前記出力オーディオにすることとをさらに含む請求項９記載の方法。
【請求項１５】
第１のブルートゥーストランシーバと第２のブルートゥーストランシーバとにおいて、前記第１のオーディオ入力と、前記第２のオーディオ入力とをそれぞれ受信する請求項９記載の方法。
【請求項１６】
１つ以上のプロセッサにより実行可能な１組の命令を具現化するコンピュータ読取可能媒体において、
ワイヤレスヘッドセットにおいて、第１のソースから第１のオーディオ入力を受信するためのコードと、
前記ワイヤレスヘッドセットにおいて、第２のソースから第２のオーディオ入力を受信するためのコードと、
前記第１のオーディオ入力と前記第２のオーディオ入力とを混合して出力オーディオにするためのコードと、
前記ワイヤレスヘッドセットから前記出力オーディオを出力するためのコードとを含むコンピュータ読取可能媒体。
【請求項１７】
前記混合するためのコードは、
前記第１のオーディオ入力と前記第２のオーディオ入力のそれぞれを重み付けし、それにより、重み付けしたオーディオ入力を生成させるためのコードと、
前記重み付けしたオーディオ入力を合計するためのコードとを含む請求項１６記載のコンピュータ読取可能媒体。
【請求項１８】
前記混合するためのコードは、
前記出力オーディオ中に前記第１のオーディオ入力のみを含めること、
前記出力オーディオ中に前記第２のオーディオ入力のみを含めること、または、
前記出力オーディオ中に前記第１のオーディオ入力と前記第２のオーディオ入力との双方を含めることにより、
前記第１のオーディオ入力と前記第２のオーディオ入力とを選択的に合成するためのコードを含む請求項１６記載のコンピュータ読取可能媒体。
【請求項１９】
前記第１のオーディオ入力は、音声を表す請求項１６記載のコンピュータ読取可能媒体。
【請求項２０】
前記第２のオーディオ入力は、ステレオオーディオを表す請求項１９記載のコンピュータ読取可能媒体。
【請求項２１】
マイクロフォンから第３のオーディオ入力を受信するためのコードと、
前記第１のオーディオ入力と、前記第２のオーディオ入力と、前記第３のオーディオ入力とを混合して、前記出力オーディオにするためのコードとをさらに含む請求項１６記載のコンピュータ読取可能媒体。
【請求項２２】
装置において、
ワイヤレスヘッドセットにおいて、第１のソースから第１のオーディオ入力を受信する手段と、
前記ワイヤレスヘッドセットにおいて、第２のソースから第２のオーディオ入力を受信する手段と、
前記第１のオーディオ入力と前記第２のオーディオ入力とを混合して出力オーディオにする手段と、
前記ワイヤレスヘッドセットから前記出力オーディオを出力する手段とを具備する装置。
【請求項２３】
前記混合する手段は、
前記第１のオーディオ入力と前記第２のオーディオ入力のそれぞれを重み付けし、それにより、重み付けしたオーディオ入力を生成させる手段と、
前記重み付けしたオーディオ入力を合計する手段とを備える請求項２２記載の装置。
【請求項２４】
前記混合する手段は、
前記出力オーディオ中に前記第１のオーディオ入力のみを含めること、
前記出力オーディオ中に前記第２のオーディオ入力のみを含めること、または、
前記出力オーディオ中に前記第１のオーディオ入力と前記第２のオーディオ入力との双方を含めることにより、
前記第１のオーディオ入力と前記第２のオーディオ入力とを選択的に合成する手段を備える請求項２２記載の装置。
【請求項２５】
前記第１のオーディオ入力は、音声を表す請求項２２記載の装置。
【請求項２６】
前記第２のオーディオ入力は、ステレオオーディオを表す請求項２５記載の装置。
【請求項２７】
マイクロフォンから第３のオーディオ入力を受信する手段と、
前記第１のオーディオ入力と、前記第２のオーディオ入力と、前記第３のオーディオ入力とを混合して、前記出力オーディオにする手段とをさらに具備する請求項２２記載の装置。
【請求項２８】
前記受信する手段のそれぞれは、ブルートゥーストランシーバを含む請求項２２記載の装置。
【請求項２９】
前記第１のオーディオ入力または前記第２のオーディオ入力のうちの少なくとも１つに対して、時間変動利得を適用する手段をさらに具備する請求項２２記載の装置。
【発明の詳細な説明】
【背景】
【０００１】
分野
本開示は、一般的にオーディオ通信に関し、さらに詳細には、ワイヤレスヘッドセットに関する。
【０００２】
背景
ワイヤードヘッドセットおよびワイヤレスヘッドセットが知られている。従来のワイヤードヘッドセットは、ユーザの耳の上にあるいはユーザの耳の中にフィットすることを意図した、１つまたは２つのいずれかのイヤーピースと、オーディオソースとの間を走るワイヤを備えている。多くのケースでは、ワイヤレスヘッドセットは、単にワイヤードヘッドセットを置き換えたものである。このような状況において、ワイヤレスヘッドセットは、ヘッドセットとオーディオソースとの間を走るワイヤの代わりに、通常は無線周波数（ＲＦ）または赤外線（ＩＲ）のチャネルであるワイヤレスリンクを、代用している。ユーザはもはや、ワイヤによってオーディオソースに束縛されないので、より大きなユーザ自由度を提供するためにワイヤレスヘッドセットが使用される。例えば、コードレス電話機、移動体無線、パーソナルデジタルアシスタント（ＰＤＡ）、セルラ加入者ユニット、およびこれらに類するもの等の通信デバイスや、それに加えて、ＭＰ３プレーヤー、ステレオシステム、ラジオ、ビデオゲーム、パーソナルコンピュータ、ラップトップコンピュータ、およびこれらに類するもの等の他のソースデバイスのような、オーディオソースとともに、ワイヤードヘッドセットおよびワイヤレスヘッドセットの双方が使用されることが知られている。
【０００３】
既知のワイヤレスヘッドセットは、ＲＦまたはＩＲのワイヤレス技術を使用して、オーディオソースと通信する。このようなワイヤレスヘッドセット通信は、ｗｗｗ．ｂｌｕｅｔｏｏｔｈ．ｃｏｍにおいて入手可能なブルートゥース（登録商標）仕様書により定義されているもののような、パーソナルワイヤレスネットワークへと拡張されてきた。ブルートゥース仕様書は、ワイヤレスヘッドセット機能性を提供するための特有のガイドラインを提供する。特に、ブルートゥース仕様書は、ヘッドセット使用ケースをサポートするのに必要なブルートゥースデバイスの要件を定義するヘッドセットプロファイルを提供する。いったん構成されると、ヘッドセットは、デバイスのオーディオ入力および／または出力として機能することができる。したがって、ブルートゥースネットワークの特に人気のある使用は、セルラ電話機およびＰＤＡに対するワイヤレスヘッドセット接続性を提供することである。加えて、ブルートゥース仕様書は、ブルートゥースネットワークを通して、高品質のステレオオーディオまたはモノオーディオをワイヤレスに配信するためのプロトコルならびに手順を定義する高度オーディオ配信プロファイル（Ａ２ＤＰ）も提供する。このプロファイルの目的は、Ｚｕｎｅ（登録商標）、ｉＰｏｄ（登録商標）、および、これらに類するもののような、ＭＰ３音楽プレーヤーに接続することである。
【０００４】
いくつかの環境では、ワイヤレスヘッドセットは、ワイヤードヘッドセットよりも改善されているが、ワイヤレスヘッドセットをさらに改善するための機会はまだある。
【概要】
【０００５】
既知のワイヤレスヘッドセットは、２つ以上の別のソースデバイスに対する、同時で直接的な接続をサポートしていない。したがって、現在、２つ以上の別のオーディオソースデバイスを有するユーザが、既知のヘッドセットを使用して異なるデバイスを同時に聞くことはできない。例えば、目下利用可能なワイヤレスヘッドセットは、同時の音声通話およびプレーバックオーディオを個々に出力できない。例えば、ユーザは、ＭＰ３プレーヤーから音楽を再生している間、到来セルラ電話機音声通話を聞くことができない。異なるソースからのオーディオを同時に聞くための能力により、ワイヤレスヘッドセットのユーザビリティが大幅に改善する。その理由は、数ある中で、ユーザのＭＰ３プレーヤーからの音楽プレーバック間の到来音声通話のようなイベントを、彼／彼女が都合よく知らされることが可能になるからである。
【０００６】
ここで開示するのは、２つ以上のオーディオソースへの同時接続をサポートしており、異なるソースからのオーディオを並行して出力することができる、新しく、改善されたワイヤレスヘッドセット設計である。音声通話と、例えば、記録された音楽またはストリーミング音楽のプレーバックのような、オーディオプレーバックとを、オーディオは含んでいてもよい。
【０００７】
設計の１つの側面にしたがうと、ワイヤレスヘッドセットは、第１のソースから第１のオーディオ入力を受信するように構成されている第１のトランシーバと、第２のソースから第２のオーディオ入力を受信するように構成されている第２のトランシーバと、第１のオーディオ入力と第２のオーディオ入力とを合成して出力オーディオにするように構成されているオーディオミキサーとを備えている。
【０００８】
設計の別の側面にしたがうと、ワイヤレスヘッドセットでオーディオを出力する方法は、ワイヤレスヘッドセットにおいて、異なるソースからの第１のオーディオ入力および第２のオーディオ入力を受信することと、第１のオーディオ入力と第２のオーディオ入力とを混合して出力オーディオにすることとを含んでいる。
【０００９】
設計の別の側面にしたがうと、装置は、ワイヤレスヘッドセットにおいて、第１のソースから第１のオーディオ入力を受信する手段と、ワイヤレスヘッドセットにおいて、第２のソースから第２のオーディオ入力を受信する手段と、第１のオーディオ入力と第２のオーディオ入力とを混合して出力オーディオにする手段と、ワイヤレスヘッドセットから出力オーディオを出力する手段とを備えている。
【００１０】
設計のさらなる側面にしたがうと、１つ以上のプロセッサにより実行可能な１組の命令を具現化するコンピュータ読取可能媒体は、第１のソースから第１のオーディオ入力を受信するためのコードと、第２のソースから第２のオーディオ入力を受信するためのコードと、第１のオーディオ入力と第２のオーディオ入力とを混合して出力オーディオにするためのコードと、ワイヤレスヘッドセットから出力オーディオを出力するためのコードとを含んでいる。
【００１１】
以下の図面および詳細な説明を考察すると、ワイヤレスヘッドセット設計の他の側面、特徴、プロセス、および利点が、当業者にとって明らかだろう、あるいは、明らかになるだろう。このようなすべての付加的な特徴、側面、プロセス、および利点を、本説明の中に含め、添付の特許請求の範囲により保護することが意図されている。
【図面の簡単な説明】
【００１２】
図面は、単に例示の目的のためのものであることを理解すべきである。さらに、図面中のコンポーネントは、必ずしもスケーリングされておらず、その代わりに、ワイヤレスヘッドセット設計の原理およびそのさまざまな側面を示すときには、強調がなされている。図面では、異なる図全体を通して、同一の参照番号は、対応するパーツを示す。
【図１】図１は、ワイヤレスヘッドセットシステムを示すダイヤグラムである。
【図２Ａ】図２Ａは、図１のワイヤレスヘッドセットのコンポーネントを示す概念的なブロックダイヤグラムである。
【図２Ｂ】図２Ｂは、ヘッドセットコンポーネントの例示的なインプリメンテーションを示す概念的なブロックダイヤグラムである。
【図２Ｃ】図２Ｃは、ヘッドセットコンポーネントの第２の例示的なインプリメンテーションを示す概念的なブロックダイヤグラムである。
【図３】図３は、図１および図２Ａ〜Ｃにおいて示されているヘッドセットの動作を示すフローチャートである。
【詳細な説明】
【００１３】
図面を参照し、組み込んでいる以下の詳細な説明は、１つ以上の特有の実施形態を説明し、示している。これらの実施形態は、限定するためにではなく、例示および教示するためにだけ提供されており、当業者が、クレームされていることを実施できるように、十分に詳細に示され、説明されている。したがって、簡潔さのために、説明は、当業者に知られているある情報を省いていることがある。
【００１４】
単語“例示的な”は、本開示全体を通して、“例、事例、または例示として役割を果たす”ことを意味するように使用されている。“例示的な”としてここで説明する何らかの実施形態または特徴は、必ずしも、他の実施形態または特徴より好ましい、あるいは、他の実施形態または特徴より利点があるものとして解釈すべきではない。
【００１５】
ここで、図面、特に図１を見ると、ワイヤレスヘッドセットシステム１００が示されている。システム１００は、例えば、ＭＰ３音楽プレーヤー１０４のような第１のオーディオソース、および、セルラ電話機１０６のような第２のオーディオソースのような、１つ以上のオーディオソースと通信しているワイヤレスヘッドセット１０２を含んでいる。ＭＰ３プレーヤー１０４およびセルラ電話機１０６として示されているが、オーディオソースは、オーディオ信号により表されるオーディオを、ヘッドセット１０２中のスピーカーから出力することができるように、ヘッドセット１０２へのオーディオ信号の送信およびヘッドセット１０２からのオーディオ信号の受信が可能な、何らかのデバイスであってもよい。各オーディオソースは、例えば、コードレス電話機、移動体無線、パーソナルデジタルアシスタント（ＰＤＡ）、セルラ加入者ユニット、および、これらに類するもののような、通信デバイスであってもよく、あるいは、代替的に、ＭＰ３プレーヤー、ステレオシステム、オーディオビジュアルシステム、ラジオ、ビデオゲーム、パーソナルコンピュータ、ラップトップコンピュータ、および、これらに類するもののような、別のタイプのデバイスであってもよい。
【００１６】
ヘッドセット１０２に送信されるオーディオ信号とヘッドセット１０２から送信されるオーディオ信号とは、これらに限定されないが、音声と、モノラルオーディオまたはステレオオーディオとを含む、何らかの形態の認識できるサウンドを表してもよい。ワイヤレスチャネルを通して、オーディオソースとヘッドセット１０２との間で送信されるオーディオ信号は、４４．１ＫＨｚの業界標準レートでサンプリングされたデジタル化オーディオを表してもよい。他の標準レートは、８ｋＨｚ、１６ｋＨｚ、４８ｋＨｚであり、他のレートも使用することができる。
【００１７】
ワイヤレスヘッドセット１０２は、例えば、無線周波数（ＲＦ）または赤外線のチャネルのような、複数のワイヤレスチャネルを介して、オーディオソースと通信する。例示的なシステム１００では、ＭＰ３プレーヤー１０４が、音楽をプレーバックし、音楽は、ワイヤレス信号として、第１のワイヤレスチャネル１０８を経由して、ヘッドセット１０２に送信され、ここで、音楽が奏でられ、ユーザが聞くことができる。第１のワイヤレスチャネル１０８上の信号は、ステレオオーディオまたはモノラルオーディオを表してもよい。セルラ電話機１０６は、セルラネットワークを通して、音声通話をかける、および、音声通話を受けることができる。セルラ電話機１０６は、音声それ自体を含む音声通話情報を、第２のワイヤレスチャネル１１０を通して、ワイヤレス信号として、ヘッドセット１０２に送信する、および、ヘッドセット１０２から受信する。
【００１８】
例示的なワイヤレスヘッドセット１０２は、ヘッドセット１０２がユーザにより快適に身に着けられるために、２つのイヤーピース１０３と、ヘッドバンド１０５のような少なくとも１つのサポートとを備えている。ワイヤレスヘッドセット１０２は、第１のワイヤレスチャネル１０８および第２のワイヤレスチャネル１１０の双方を通して、オーディオ情報を同時に受信するように構成されており、ならびに、受信したオーディオ情報を合成して、イヤーピース１０３において共に出力できるようにするために、受信したオーディオ情報を混合するように構成されており、このため、ユーザが双方のソースから同時にオーディオを聞くことが可能になる。既知のブルートゥースヘッドセットには、１つのブルートゥーストランシーバだけが存在している。典型的に、このトランシーバは、最高で４つの異なるデバイスと“対にする”ことができる。しかしながら、一度に、１つの対にしたデバイスだけが、ヘッドセットトランシーバと情報を交換することができる。したがって、従来のブルートゥースヘッドセットでは、ユーザは、一度に１つのオーディオソースだけを聞くことができる。従来のブルートゥースヘッドセットとは対照的に、ワイヤレスヘッドセット１０２は、２つ以上のワイヤレストランシーバを備えている。各トランシーバは、異なるソースデバイスと対にすることができ、例えば、１つは、電話機１０６と、別のものは、ＭＰ３プレーヤー１０４と、対にすることができる。ソースからのオーディオは、ヘッドセット１０２内で混合される。ソースデバイスからの混合されたオーディオ出力は、その後、ヘッドセット１０２中のスピーカーから出力される。
【００１９】
複数のソースデバイスを制御するために、ヘッドセット１０２は、制御すべきデバイスを選択するためのユーザインターフェースを備えていてもよい。
【００２０】
ヘッドセット１０２上で複数のトランシーバをサポートするために、ヘッドセット１０２中には、オーディオミキサー２０６（図２Ａ〜Ｃ）が備えられている。各ソースからのオーディオをインテリジェントに混合して、その後、それをヘッドセットスピーカーに出力する行列要素２０８（図２Ａ〜Ｃ）を、オーディオミキサー２０６は備えている。このことにより、音楽のプレーバックと音声通話とが別々のデバイスにより提供されるときでさえ、向上したリスニング経験が可能になる。オーディオミキサー２０６は、各オーディオパスに異なる利得を適用してもよい。ミキサー２０６はまた、時間変動する方法で、利得を修正してもよい。
【００２１】
ヘッドバンド１０５とともに示されているが、ヘッドセット１０２およびイヤーピース１０３は、ユーザの耳を覆うようにまたはユーザの耳の中に、イヤーピース１０３が安全にフィットするように適合された、何らかの適切な物理的な形およびサイズを有することができる。ヘッドバンド１０５は、オプション的に、ヘッドセット１０２から省くことができる。例えば、イヤーピース１０３は、ユーザの耳垂の後ろで、ユーザの外耳道を覆うようにまたはユーザの外耳道の中に、取り付けるための、従来のフック形のイヤーピースとすることができる。加えて、ヘッドセット１０２は、２つのイヤーピース１０３を有するものとして示されているが、代替的に、ヘッドセット１０２は、単一のイヤーピースだけを備えていてもよい。
【００２２】
図２Ａは、図１のワイヤレスヘッドセット１０２のあるコンポーネントの例示的な構成を示す概念的なブロックダイヤグラムである。ワイヤレスヘッドセット１０２は、第１のオーディオソース（例えば、ＭＰ３プレーヤー１０４）から第１のオーディオ入力を受信するように構成されている第１のトランシーバ２０３を有する、第１のワイヤレスインターフェース２０２と、第２のオーディオソース（例えば、セルラ電話機１０６）から第２のオーディオ入力を受信するように構成されている第２のトランシーバ２０５を有する、第２のワイヤレスインターフェース２０４と、第１のオーディオストリームおよび第２のオーディオストリームを合成して出力オーディオにするように構成されているオーディオミキサー２０６とを備えている。ヘッドセット１０２は、２つより多いオーディオソースを取り扱うために、２つより多いワイヤレスインターフェースおよびトランシーバを備えていてもよい。
【００２３】
ヘッドセット１０２はまた、メモリ２２７に結合されている制御装置２２６と、左チャネルオーディオ処理回路２１０と、左チャネルデジタルアナログコンバータ（ＤＡＣ）２１２と、左チャネル高インピーダンスヘッドフォン（ＨＰＨ）増幅器（Ａｍｐ）２１４と、左チャネルイヤフォンスピーカー２１６と、右チャネルオーディオ処理回路２１８と、右チャネルＤＡＣ２２０と、右チャネルＨＰＨ ａｍｐ２２２と、右チャネルイヤフォンスピーカー２２４とを備えている。
【００２４】
ヘッドセット１０２は、第３のオーディオストリームを生成させるように構成されている、オプション的なマイクロフォン（ＭＩＣ）２２８も備えていてもよく、第３のオーディオストリームは、マイクロフォンプリプロセッサ２３０により前処理され、その後、例えば、第２のトランシーバ２０４のような、トランシーバ２０２、２０４のうちの１つに提供され、そこでさらに処理され、その後、オーディオミキサー２０６に渡される。マイクロフォン２２８がヘッドセット１０２中に備えられているときに、オーディオミキサー２０６は、第１のオーディオストリームと、第２のオーディオストリームと、第３のオーディオストリームとを合成して出力信号にするように構成されている。
【００２５】
マイクロフォン２２８は、サウンドを電子信号にコンバートするための何らかの適切なマイクロフォンデバイスである。
【００２６】
マイクロフォンプリプロセッサ２３０は、マイクロフォン２２８から受け取った電子信号を処理するように構成されている。マイクロフォンプリプロセッサ２３０は、アナログデジタルコンバータ（ＡＤＣ）とノイズ低減およびエコーキャンセル回路（ＮＲＥＣ）とを備えていてもよい。ＡＤＣは、マイクロフォンからのアナログ信号をデジタル信号にコンバートし、デジタル信号は、その後、ＮＲＥＣにより処理される。ＮＲＥＣは、通信および音声制御アプリケーションに対する望ましくないオーディオアーティファクトを低減させるために用いられる。マイクロフォンプリプロセッサ２３０は、市販のハードウェア、ソフトウェア、ファームウェア、または、これらの何らかの適切な組み合わせを使用して、実現することができる。
【００２７】
制御装置２２６は、ヘッドセット１０２と、そこに含まれるあるコンポーネントとの動作全体を制御する。制御装置２２６は、ここで説明するようなヘッドセット１０２の機能および処理をヘッドセット１０２に実行させるための、何らかの適切な制御デバイスとすることができる。例えば、制御装置２２６は、メモリ２２７中に記憶されているプログラミング命令を実行するためのプロセッサ、例えば、ＡＲＭ（登録商標）７またはデジタル信号プロセッサ（ＤＳＰ）のようなマイクロプロセッサとすることができ、あるいは、１つ以上の特定用途向け集積回路（ＡＳＩＣ）や、フィールドプログラマブルゲートアレイ（ＦＰＧＡ）や、複合プログラマブル論理デバイス（ＣＰＬＤ）や、ディスクリート論理や、ソフトウェアや、ハードウェアや、ファームウェアや、または、これらの何らかの適切な組み合わせとして、制御装置２２６を実現することができる。
【００２８】
メモリ２２７は、制御装置２２６により実行され、使用される、プログラミング命令およびデータを記憶するための、何らかの適切なメモリデバイスである。
【００２９】
各ワイヤレスインターフェース２０２、２０４は、第１のオーディオソース１０４と、第２のオーディオソース１０６との双方向ワイヤレス通信をそれぞれ提供する。好ましくは、ブルートゥースＲＦトランシーバ、ベースバンドプロセッサ、プロトコルスタックから成るブルートゥースコアシステムとともに、制御装置２２６およびオーディオミキサー２０６にモジュールを接続するためのハードウェアならびにソフトウェアのインターフェースとを少なくとも提供する市販のブルートゥースモジュールを、各ワイヤレスインターフェース２０２、２０４は備えている。何らかの適切なワイヤレス技術をヘッドセット１０２で用いることができるが、図２Ａ〜Ｃにおいて示されているような、第１のトランシーバ２０３と第２のトランシーバ２０５は、それぞれ、ブルートゥーストランシーバである。ワイヤレスインターフェース２０２、２０４のそれぞれは、制御装置２２６により制御することができる。
【００３０】
デジタル化されたオーディオストリームは、第１のワイヤレスインターフェース２０２と第２のワイヤレスインターフェース２０４とから出力され、オーディオミキサー２０６により受け取られる。デジタル化されたオーディオストリームのフォーマットは、何らかの適切なフォーマットであってもよく、したがって、いくつかの環境では、オーディオストリームは、パルスコード変調（ＰＣＭ）サンプルのような、生のオーディオサンプルであってもよく、あるいは、他の環境では、ＭＰ３オーディオのような、デジタルにエンコードされたおよび／または圧縮されたオーディオであってもよい。各ワイヤレスインターフェース２０２、２０４からの到来オーディオストリームフォーマットを検出し、その後、ストリームを適切に混合して、意味のあるようにユーザが聞けるようにスピーカー２１６、２２４を通して出力できるような方法で、到来オーディオストリームを処理および／またはデコードするために、必要に応じて、オーディオミキサー２０６と、オーディオ処理回路２１０、２１８と、他のコンポーネントとを構成するように、制御装置２２６が構成されていてもよい。エンコードされたおよび／または圧縮されたオーディオは、典型的に、オーディオミキサー２０６に渡される前に、デコードされるおよび／または伸長される。
【００３１】
図２Ａ〜Ｃにおいて示されている例示的なヘッドセット構成では、第１のワイヤレスインターフェース２０２は、ブルートゥースステレオオーディオを受信し、デジタル化された左チャネルおよび右チャネルのオーディオストリームを出力するように構成され、第２のワイヤレスインターフェース２０４は、ブルートゥース音声を受信し、デジタル化された音声ストリームを出力するように構成されている。
【００３２】
オーディオミキサー２０６は、ワイヤレスインターフェース２０２、２０４からの到来オーディオストリームを混合して、混合したオーディオ信号を生成させる。混合したオーディオ信号は、このケースでは、左チャネルおよび右チャネルの混合したデジタル化オーディオストリームである。オーディオミキサー２０６は、第１のオーディオストリームと第２のオーディオストリームのそれぞれと、存在する場合には第３のマイクロフォンオーディオストリームも重み付けし、それにより、重み付けしたオーディオ信号を生成させるように構成されている、行列要素２０８を備えている。行列要素２０８はまた、重み付けしたオーディオ信号を合計して、１つ以上の出力ストリームを生成させるように構成されていてもよい。
【００３３】
行列要素２０８は、１つ以上のデジタル重み付け合計回路を備えていてもよく、行列要素２０８の動作は、行列代数を使用して数学的に表すことができる。行列要素の出力は、ベクトルＹにより表すことができ、行列要素の入力は、ベクトルＸにより表すことができ、重み付け係数は、行列Ｍにより表すことができるので、行列要素２０８の動作は、Ｙ＝ＭＸのような行列代数を使用して記述される。
【００３４】
図２Ａ〜Ｃにおいて示されている例示的なヘッドセット回路では、行列要素２０８は、４つの入力を有している：第１のワイヤレスインターフェース２０２からの２つのステレオオーディオ入力ストリーム（左入力および右入力）と、第２のワイヤレスインターフェース２０４からの音声入力オーディオストリームおよびマイクロフォン入力オーディオストリームである。入力は、方程式１において示されているベクトルにより表す。
【数１】
2012511869.tif 000003
【００３５】
ここで、ｘ1＝左チャネルステレオオーディオ入力であり、
ｘ2＝右チャネルステレオオーディオ入力であり、
ｘ3＝音声入力であり、
ｘ4＝マイクロフォン入力である。
【００３６】
行列要素２０８に対する入力ｘ1、ｘ2、ｘ3、ｘ4は、予め規定された期間の入力オーディオを表すデジタルデータであってもよい。
【００３７】
行列要素２０８は、２つの出力を有している：方程式２において示されているベクトルによって表している、左チャネルスピーカーと右チャネルスピーカーである。
【数２】
2012511869.tif 000004
【００３８】
ここで、ｙ1＝左チャネルオーディオ出力であり、
ｙ2＝右チャネルオーディオ出力である。
【００３９】
行列要素２０８の出力ｙ1、ｙ2は、予め規定された期間のオーディオを表すデジタルデータであってもよい。
【００４０】
係数行列Ｍは、２×４の行列により表すことができる。
【数３】
2012511869.tif 000005
【００４１】
ここで、Ｍの要素は、予め選択された可変値または定数である。
【００４２】
したがって、行列要素の出力、Ｙ＝ＭＸは、方程式の系として書くことができる。
【数４】
2012511869.tif 000006
【００４３】
オーディオミキサー２０６は、異なる重み付け係数行列構成を、それゆえ、到来オーディオストリームの異なる混合を、選択するように、プログラム可能に構成されていてもよい。オーディオミキサー出力が第１のオーディオストリームのみを含むように、ストリームを合成することができる。代替的に、出力オーディオ中に、第２のオーディオストリームのみを含めるように、あるいは、出力オーディオ中に、第１のオーディオストリームと第２のオーディオストリームとの双方の混合を含めるように、ストリームを合成することができる。
【００４４】
例えば、ステレオオーディオのみを再生するようにヘッドセット１０２を構成するために、重み付け係数の行列Ｍを、次のようにセットしてもよい：
【数５】
2012511869.tif 000007
【００４５】
したがって、方程式５の行列を方程式４に適用すると、行列要素２０８の動作および出力は、下記で方程式６において示されているように記述される：
【数６】
2012511869.tif 000008
【００４６】
双方のイヤーピーススピーカー２１６、２２４に均一に分配される音声のみを再生するようにヘッドセット１０２を構成するために、重み付け係数の行列Ｍを、次のようにセットしてもよい：
【数７】
2012511869.tif 000009
【００４７】
したがって、方程式７の行列を方程式４に適用すると、行列要素２０８の動作および出力は、下記で方程式８において示されているように記述される：
【数８】
2012511869.tif 000010
【００４８】
双方のイヤーピーススピーカー２１６、２２４に均一に分配される音声と合成したステレオオーディオを再生するようにヘッドセット１０２を構成するために、重み付け係数の行列Ｍを、次のようにセットしてもよい：
【数９】
2012511869.tif 000011
【００４９】
したがって、方程式９の行列を方程式４に適用すると、行列要素２０８の動作および出力は、下記で方程式１０において示されているように記述される：
【数１０】
2012511869.tif 000012
【００５０】
さらに、行列Ｍの要素は、フェードイン、フィードアウト、または、これらに類するもののような、高度な効果を生成させるために、時間変動させることができる。行列Ｍの要素は、データの組としてメモリ２２７中に記憶することができ、制御装置２２６により構成することができる。行列Ｍの要素は、オーディオ入力に利得を適用することもでき、利得もまた、行列要素のうちの１つ以上の値を継時的に変化させることにより、時間変動させてもよい。
【００５１】
オーディオミキサー２０６と行列要素２０８の機能は、何らかの適切なアナログ回路および／またはデジタル回路を使用して実現してもよい。例えば、デジタル領域では、オーディオミキサー２０６と行列要素２０８は、例えば、ＡＲＭ７またはデジタル信号プロセッサ（ＤＳＰ）のようなマイクロプロセッサ等のプロセッサにより実行可能なソフトウェアで実現してもよく、あるいは、１つ以上の特定用途向け集積回路（ＡＳＩＣ）や、フィールドプログラマブルゲートアレイ（ＦＰＧＡ）や、複合プログラマブル論理デバイス（ＣＰＬＤ）や、ディスクリート論理や、ソフトウェアや、ハードウェアや、ファームウェアや、または、これらの何らかの適切な組み合わせとして実現してもよい。
【００５２】
オーディオミキサー２０６により出力された、混合されたデジタル化オーディオストリームは、左チャネルオーディオ処理回路２１０と右チャネルオーディオ処理回路２１８とに提供される。
【００５３】
左チャネルオーディオ処理回路２１０は、オーディオミキサー２０６の左チャネル出力から、混合されたデジタル化オーディオストリームを受け取る。オーディオ処理回路２１０は、混合されたデジタル化オーディオ信号をデジタル領域において処理するデジタル回路を備えている。例えば、オーディオ処理回路２１０により、左チャネルの混合されたデジタル化オーディオストリームを、１回以上切り捨て、１回以上フィルタリングし、１回以上増幅し、および、１回以上アップサンプリングしてもよい。フィルタリングは、ローパスフィルタリングや、ハイパスフィルタリングや、および／または、他の種類のフィルタ機能により特徴付けられているフィルタにストリームを通すことを含んでいてもよい。デジタル領域における増幅は、プログラマブル利得増幅器（ＰＧＡ）の使用を含んでいてもよい。
【００５４】
右チャネルオーディオ処理回路２１８は、オーディオミキサー２０６の右チャネル出力から、混合されたデジタル化オーディオストリームを受け取る。オーディオ処理回路２１８は、右チャネルの混合されたデジタル化オーディオ信号をデジタル領域において処理するデジタル回路を備えている。例えば、オーディオ処理回路２１８により、右チャネルの混合されたデジタル化オーディオストリームを、１回以上切り捨て、１回以上フィルタリングし、１回以上増幅し、および、１回以上アップサンプリングしてもよい。フィルタリングは、ローパスフィルタリングや、ハイパスフィルタリングや、および／または、他の種類のフィルタ機能により特徴付けられているフィルタにストリームを通すことを含んでいてもよい。デジタル領域における増幅は、プログラマブル利得増幅器（ＰＧＡ）の使用を含んでいてもよい。
【００５５】
左チャネルオーディオ処理回路２１０と右チャネルオーディオ処理回路２１８は、市販の既製コンポーネントを使用して実現してもよい。さらに、オーディオ処理回路２１０、２１８を組み合わせて、左オーディオチャネルと右オーディオチャネルの双方を取り扱う単一の多重化処理パスにしてもよい。また、オーディオ処理回路２１０、２１８の機能のうちのいくつかまたはすべてを、プロセッサ上で実行可能なソフトウェアとして実現してもよい。
【００５６】
左チャネルＤＡＣ２１２は、左チャネルオーディオ処理回路２１０からの、左チャネルの混合されたデジタル化オーディオ出力を、左チャネルアナログオーディオ信号にコンバートする。左チャネルアナログオーディオ信号は、その後、オーディオ増幅器２１４により増幅されて、左スピーカー２１６を駆動する。
【００５７】
右チャネルＤＡＣ２２０は、右チャネルオーディオ処理回路２１８からの、右チャネルの混合されたデジタル化オーディオ出力を、右チャネルアナログオーディオ信号にコンバートする。右チャネルアナログオーディオ信号は、その後、オーディオ増幅器２２２により増幅されて、右スピーカー２２４を駆動する。
【００５８】
オーディオ増幅器２１４、２２２以外に、（示していない）付加的なアナログオーディオ処理回路が、ヘッドセット１０２中に含まれていてもよいことを、当業者は理解するだろう。
【００５９】
左ヘッドセットスピーカー２１６と右ヘッドセットスピーカー２２４は、増幅器２１４、２２２からの電子信号出力をそれぞれサウンドにコンバートするための、何らかの適切なオーディオトランスデューサーである。
【００６０】
電力をセーブするために、制御装置２２６は、ヘッドセット１０２内のあるオーディオパスが使用されていないときに、それらのスイッチを切ることができる。例えば、ヘッドセット１０２において音声を受信せず、ステレオオーディオのみを受信した場合に、制御装置２２６は、第２のワイヤレスインターフェース２０４とマイクロフォンプリプロセッサ２３０とのスイッチを一時的に切ることができる。
【００６１】
ヘッドセットコンポーネントの代替的な構成は、行列要素２０８の前にまたは行列要素２０８の後に、第１のトランシーバの出力を、第２のトランシーバ２０５に送らせることである。これにより、第２のワイヤレスインターフェース２０４を介してヘッドセット１０２と通信している遠隔局または第２のソースに対して、第１のワイヤレスインターフェース２０２に接続されているオーディオソースからの音楽を送ることが可能になるだろう。
【００６２】
図２Ｂは、図１のヘッドセット１０２のコンポーネントの例示的なインプリメンテーションを示す概念的なブロックダイヤグラムである。このインプリメンテーションでは、左チャネルオーディオ処理回路２１０および右チャネルオーディオ処理回路２１８と、オーディオミキサー２０６と、行列要素２０８と、制御装置２２６とは、例えば、ＡＲＭ７、ＤＳＰ、またはこれらに類するもののようなマイクロプロセッサ等の、単一のプロセッサ２１１を使用して、実現される。左ＤＡＣ２１２および右ＤＡＣ２２０と、ワイヤレスインターフェース２０２、２０４と、メモリ２２７と、マイクロフォンプリプロセッサ２３０は、プロセッサ２１１にインターフェースされている。
【００６３】
（示していない）代替的なインプリメンテーションでは、メモリ２２７と、ワイヤレスインターフェース２０２および２０４とともに、第１のトランシーバ２０３および第２のトランシーバ２０５も、プロセッサ２１１中に含めることができる。
【００６４】
図２Ｃは、ヘッドセットコンポーネントの別の例示的なインプリメンテーションを示す概念的なブロックダイヤグラムである。第２の例示的なインプリメンテーションでは、ヘッドセット回路のうちの少なくともいくつかを実現するために、複数のプロセッサを使用する。図２Ｃにおいて示されている例では、制御装置２２６は、例えばマイクロプロセッサのようなプロセッサ２１５を使用して実現され、左チャネルオーディオ処理回路２１０および右チャネルオーディオ処理回路２１８と、オーディオミキサー２０６と、行列要素２０８は、ＤＳＰのような第２のプロセッサ２１３を使用して実現される。
【００６５】
ヘッドセット回路の他のインプリメンテーションもありうる。
【００６６】
図３は、図１および図２Ａ〜Ｃにおいて示されているヘッドセット１０２の動作を示すフローチャート３００である。一般的に、方法は、制御装置２２６の制御の下で実行され、ヘッドセット１０２のさまざまなコンポーネントの動作を調整する。
【００６７】
ブロック３０２では、第１のワイヤレスチャネル１０８を通して、例えばＭＰ３プレーヤー１０４のような第１のオーディオソースからのオーディオを、ヘッドセット１０２により受信する。オーディオは、Ａ２ＤＰ仕様書において記述されているような、ＭＰ３ １０４とヘッドセット１０２との間で確立されている接続からもたらされる、ブルートゥースストリーミングオーディオを含んでいてもよい。ブルートゥースストリーミングオーディオ接続が確立された後に、オーディオパケットが、第１のオーディオソースからヘッドセット１０２に送信される。一般的に、オーディオパケットは、交渉されたコーデック標準規格を使用してエンコードされたデジタル化オーディオを含んでいる。各オーディオパケットは、予め定められている期間のサウンド、例えば、２０ミリ秒を表し、ヘッドセット１０２において出力されることになる。エンコードされたオーディオの１つ以上のフレームを含むオーディオパケットを、Ａ２ＤＰプロファイルにしたがってフォーマットすることができる。これらに限定されないが、ＳＢＣ、ＭＰＥＧ−１オーディオ、ＭＰＥＧ−２オーディオを含むオーディオを、何らかの適切なコーデックを使用してエンコードすることができる。
【００６８】
ブロック３０４では、第２のワイヤレスチャネル１１０を通して、例えばセルラ電話機１０６のような第２のオーディオソースからのオーディオを、ヘッドセット１０２により受信する。第２のソースからのオーディオは、第１のソースからのオーディオとは異なるフォーマットであってもよい。そうである場合、制御装置２２６は、オーディオミキサー２０６によってオーディオストリームを両立させて混合することができるように、何らかの必要なデコーディングおよび／または付加的な処理を実行して、オーディオストリームを奏でることができる。
【００６９】
次に、ブロック３０６では、２つのソースからのオーディオストリームを共に混合して、出力オーディオストリームにする。オーディオミキサー２０６および行列要素２０８が、このステップを実行することができる。これらのコンポーネントの機能は、図２Ａ〜Ｃに関連して上記で論じた。
【００７０】
ブロック３０８では、オーディオ処理回路２１０、２１８、ＤＡＣ２１２、２２０により、混合されたオーディオを処理して、ワイヤレスヘッドセット１０２のヘッドフォンスピーカー２１６、２２４を通して出力する。
【００７１】
ヘッドセット回路の特有のインプリメンテーションを上記で説明してきたが、ヘッドセット回路およびそのコンポーネントの機能とともに、ここで説明した方法ステップとは、ハードウェア、ソフトウェア、および／またはファームウェアの何らかの適切な組み合わせで実現することができ、ここで、このようなソフトウェアおよび／またはファームウェアは、マイクロプロセッサ、ＤＳＰ、組み込み制御装置、または、インテレクチュアルプロパティ（ＩＰ）コアのような、１つ以上のデジタル回路により実行可能である。ソフトウェアで実現した場合、機能は、命令またはコードとして、１つ以上のコンピュータ読取可能媒体上に記憶されてもよく、あるいは、命令またはコードとして、１つ以上のコンピュータ読取可能媒体上に送信されてもよい。コンピュータ読取可能媒体は、１つの場所から別の場所へのコンピュータプログラムの転送を促進する何らかの媒体を含む、コンピュータ記憶媒体および通信媒体の双方を含む。記憶媒体は、コンピュータによりアクセスできる何らかの利用可能な媒体であってもよい。例として、これらに限定されないが、このようなコンピュータ読取可能媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、コンピュータによりアクセスでき、命令またはデータ構造の形態で所望のプログラムコードを運ぶまたは記憶するために使用できる他の何らかの媒体を含むことができる。また、あらゆる接続は、コンピュータ読取可能媒体と適切に呼ばれる。例えば、ソフトウェアが、同軸ケーブルや、光ファイバケーブルや、撚り対や、デジタル加入者回線（ＤＳＬ）や、あるいは、赤外線、無線、およびマイクロ波のようなワイヤレス技術を使用して、ウェブサイト、サーバ、または、他の遠隔ソースから送信される場合には、同軸ケーブルや、光ファイバケーブルや、撚り対や、ＤＳＬや、あるいは、赤外線、無線、およびマイクロ波のようなワイヤレス技術は、媒体の定義に含まれる。ここで使用したようなディスク（ｄｉｓｋおよびｄｉｓｃ）は、コンパクトディスク（ＣＤ）、レーザディスク（登録商標）、光ディスク、デジタル多用途ディスク（ＤＶＤ）、フロッピー（登録商標）ディスク、および、ブルーレイ（登録商標）ディスクを含むが、一般的に、ディスク（ｄｉｓｋ）は、データを磁気的に再生する一方で、ディスク（ｄｉｓｃ）は、データをレーザによって光学的に再生する。先のものを組み合わせたものもまた、コンピュータ読取可能媒体の範囲内に含められるべきである。
【００７２】
これらの教示を考慮すると、他の実施形態および改良が、容易に当業者の心に浮かぶだろう。それゆえ、以下の特許請求の範囲は、上記の明細書および添付の図面とともに考慮したときに、このようなすべての実施形態および改良をカバーすることを意図している。
【図１】
2012511869.tif 000013
【図２Ａ】
2012511869.tif 000014
【図２Ｂ】
2012511869.tif 000015
【図２Ｃ】
2012511869.tif 000016
【図３】
2012511869.tif 000017
【手続補正書】
【提出日】平成23年10月20日(2011.10.20)
【手続補正１】
【補正対象書類名】特許請求の範囲
【補正対象項目名】全文
【補正方法】変更
【補正の内容】
【特許請求の範囲】
【請求項１】
ワイヤレスヘッドセットにおいて、
第１のソースから第１のオーディオ入力を受信するように構成されている第１のトランシーバと、
第２のソースから第２のオーディオ入力を受信するように構成されている第２のトランシーバと、
前記第１のオーディオ入力と前記第２のオーディオ入力とを合成して出力オーディオにするように構成されているオーディオミキサーとを具備するワイヤレスヘッドセット。
【請求項２】
前記オーディオミキサーは、
前記第１のオーディオ入力と前記第２のオーディオ入力のそれぞれを重み付けし、それにより、重み付けしたオーディオ入力を生成させるように構成されている行列要素を備える請求項１記載のワイヤレスヘッドセット。
【請求項３】
前記行列要素は、前記重み付けしたオーディオ入力を合計するように構成されている請求項２記載のワイヤレスヘッドセット。
【請求項４】
前記オーディオミキサーは、
前記出力オーディオ中に前記第１のオーディオ入力のみを含めること、
前記出力オーディオ中に前記第２のオーディオ入力のみを含めること、または、
前記出力オーディオ中に前記第１のオーディオ入力と前記第２のオーディオ入力との双方を含めることにより、
前記第１のオーディオ入力と前記第２のオーディオ入力とを選択的に合成する請求項１記載のワイヤレスヘッドセット。
【請求項５】
前記第１のオーディオ入力は、音声を表す請求項１記載のワイヤレスヘッドセット。
【請求項６】
前記第２のオーディオ入力は、ステレオオーディオを表す請求項５記載のワイヤレスヘッドセット。
【請求項７】
第３のオーディオ入力を生成させるように構成されているマイクロフォンをさらに具備し、前記オーディオミキサーは、前記第１のオーディオ入力と、前記第２のオーディオ入力と、前記第３のオーディオ入力とを合成して、前記出力オーディオにするように構成されている請求項１記載のワイヤレスヘッドセット。
【請求項８】
前記第１のトランシーバと前記第２のトランシーバは、ブルートゥーストランシーバである請求項１記載のワイヤレスヘッドセット。
【請求項９】
ワイヤレスヘッドセットでオーディオを出力する方法において、
前記ワイヤレスヘッドセットにおいて、第１のソースから第１のオーディオ入力を受信することと、
前記ワイヤレスヘッドセットにおいて、第２のソースから第２のオーディオ入力を受信することと、
前記第１のオーディオ入力と前記第２のオーディオ入力とを混合して出力オーディオにすることと、
前記ワイヤレスヘッドセットから前記出力オーディオを出力することとを含む方法。
【請求項１０】
前記混合することは、
前記第１のオーディオ入力と前記第２のオーディオ入力のそれぞれを重み付けし、それにより、重み付けしたオーディオ入力を生成させることと、
前記重み付けしたオーディオ入力を合計することとを含む請求項９記載の方法。
【請求項１１】
前記混合することは、
前記出力オーディオ中に前記第１のオーディオ入力のみを含めること、
前記出力オーディオ中に前記第２のオーディオ入力のみを含めること、または、
前記出力オーディオ中に前記第１のオーディオ入力と前記第２のオーディオ入力との双方を含めることにより、
前記第１のオーディオ入力と前記第２のオーディオ入力とを選択的に合成することを含む請求項９記載の方法。
【請求項１２】
前記第１のオーディオ入力は、音声を表す請求項９記載の方法。
【請求項１３】
前記第２のオーディオ入力は、ステレオオーディオを表す請求項１２記載の方法。
【請求項１４】
マイクロフォンから第３のオーディオ入力を受信することと、
前記第１のオーディオ入力と、前記第２のオーディオ入力と、前記第３のオーディオ入力とを混合して、前記出力オーディオにすることとをさらに含む請求項９記載の方法。
【請求項１５】
第１のブルートゥーストランシーバと第２のブルートゥーストランシーバとにおいて、前記第１のオーディオ入力と、前記第２のオーディオ入力とをそれぞれ受信する請求項９記載の方法。
【請求項１６】
１つ以上のプロセッサにより実行可能な１組の命令を具現化するコンピュータ読取可能記憶媒体において、
ワイヤレスヘッドセットにおいて、第１のソースから第１のオーディオ入力を受信するためのコードと、
前記ワイヤレスヘッドセットにおいて、第２のソースから第２のオーディオ入力を受信するためのコードと、
前記第１のオーディオ入力と前記第２のオーディオ入力とを混合して出力オーディオにするためのコードと、
前記ワイヤレスヘッドセットから前記出力オーディオを出力するためのコードとを含むコンピュータ読取可能記憶媒体。
【請求項１７】
前記混合するためのコードは、
前記第１のオーディオ入力と前記第２のオーディオ入力のそれぞれを重み付けし、それにより、重み付けしたオーディオ入力を生成させるためのコードと、
前記重み付けしたオーディオ入力を合計するためのコードとを含む請求項１６記載のコンピュータ読取可能記憶媒体。
【請求項１８】
前記混合するためのコードは、
前記出力オーディオ中に前記第１のオーディオ入力のみを含めること、
前記出力オーディオ中に前記第２のオーディオ入力のみを含めること、または、
前記出力オーディオ中に前記第１のオーディオ入力と前記第２のオーディオ入力との双方を含めることにより、
前記第１のオーディオ入力と前記第２のオーディオ入力とを選択的に合成するためのコードを含む請求項１６記載のコンピュータ読取可能記憶媒体。
【請求項１９】
前記第１のオーディオ入力は、音声を表す請求項１６記載のコンピュータ読取可能記憶媒体。
【請求項２０】
前記第２のオーディオ入力は、ステレオオーディオを表す請求項１９記載のコンピュータ読取可能記憶媒体。
【請求項２１】
マイクロフォンから第３のオーディオ入力を受信するためのコードと、
前記第１のオーディオ入力と、前記第２のオーディオ入力と、前記第３のオーディオ入力とを混合して、前記出力オーディオにするためのコードとをさらに含む請求項１６記載のコンピュータ読取可能記憶媒体。
【請求項２２】
装置において、
ワイヤレスヘッドセットにおいて、第１のソースから第１のオーディオ入力を受信する手段と、
前記ワイヤレスヘッドセットにおいて、第２のソースから第２のオーディオ入力を受信する手段と、
前記第１のオーディオ入力と前記第２のオーディオ入力とを混合して出力オーディオにする手段と、
前記ワイヤレスヘッドセットから前記出力オーディオを出力する手段とを具備する装置。
【請求項２３】
前記混合する手段は、
前記第１のオーディオ入力と前記第２のオーディオ入力のそれぞれを重み付けし、それにより、重み付けしたオーディオ入力を生成させる手段と、
前記重み付けしたオーディオ入力を合計する手段とを備える請求項２２記載の装置。
【請求項２４】
前記混合する手段は、
前記出力オーディオ中に前記第１のオーディオ入力のみを含めること、
前記出力オーディオ中に前記第２のオーディオ入力のみを含めること、または、
前記出力オーディオ中に前記第１のオーディオ入力と前記第２のオーディオ入力との双方を含めることにより、
前記第１のオーディオ入力と前記第２のオーディオ入力とを選択的に合成する手段を備える請求項２２記載の装置。
【請求項２５】
前記第１のオーディオ入力は、音声を表す請求項２２記載の装置。
【請求項２６】
前記第２のオーディオ入力は、ステレオオーディオを表す請求項２５記載の装置。
【請求項２７】
マイクロフォンから第３のオーディオ入力を受信する手段と、
前記第１のオーディオ入力と、前記第２のオーディオ入力と、前記第３のオーディオ入力とを混合して、前記出力オーディオにする手段とをさらに具備する請求項２２記載の装置。
【請求項２８】
前記受信する手段のそれぞれは、ブルートゥーストランシーバを含む請求項２２記載の装置。
【請求項２９】
前記第１のオーディオ入力または前記第２のオーディオ入力のうちの少なくとも１つに対して、時間変動利得を適用する手段をさらに具備する請求項２２記載の装置。
【手続補正２】
【補正対象書類名】明細書
【補正対象項目名】００５０
【補正方法】変更
【補正の内容】
【００５０】
さらに、行列Ｍの要素は、フェードイン、フィードアウト、または、これらに類するもののような、高度な効果を生成させるために、時間変動させることができる。行列Ｍの要素は、データの組としてメモリ２２７中に記憶することができ、制御装置２２６により構成することができる。行列Ｍの要素は、オーディオ入力に利得を適用することもでき、利得もまた、行列要素のうちの１つ以上の値を経時的に変化させることにより、時間変動させてもよい。
【手続補正３】
【補正対象書類名】明細書
【補正対象項目名】００７２
【補正方法】変更
【補正の内容】
【００７２】
これらの教示を考慮すると、他の実施形態および改良が、容易に当業者の心に浮かぶだろう。それゆえ、以下の特許請求の範囲は、上記の明細書および添付の図面とともに考慮したときに、このようなすべての実施形態および改良をカバーすることを意図している。
以下に、本願出願の当初の特許請求の範囲に記載された発明を付記する。
［１］ワイヤレスヘッドセットにおいて、
第１のソースから第１のオーディオ入力を受信するように構成されている第１のトランシーバと、
第２のソースから第２のオーディオ入力を受信するように構成されている第２のトランシーバと、
前記第１のオーディオ入力と前記第２のオーディオ入力とを合成して出力オーディオにするように構成されているオーディオミキサーとを具備するワイヤレスヘッドセット。
［２］前記オーディオミキサーは、
前記第１のオーディオ入力と前記第２のオーディオ入力のそれぞれを重み付けし、それにより、重み付けしたオーディオ入力を生成させるように構成されている行列要素を備える［１］に記載のワイヤレスヘッドセット。
［３］前記行列要素は、前記重み付けしたオーディオ入力を合計するように構成されている［２］に記載のワイヤレスヘッドセット。
［４］前記オーディオミキサーは、
前記出力オーディオ中に前記第１のオーディオ入力のみを含めること、
前記出力オーディオ中に前記第２のオーディオ入力のみを含めること、または、
前記出力オーディオ中に前記第１のオーディオ入力と前記第２のオーディオ入力との双方を含めることにより、
前記第１のオーディオ入力と前記第２のオーディオ入力とを選択的に合成する［１］に記載のワイヤレスヘッドセット。
［５］前記第１のオーディオ入力は、音声を表す［１］に記載のワイヤレスヘッドセット。
［６］前記第２のオーディオ入力は、ステレオオーディオを表す［５］に記載のワイヤレスヘッドセット。
［７］第３のオーディオ入力を生成させるように構成されているマイクロフォンをさらに具備し、前記オーディオミキサーは、前記第１のオーディオ入力と、前記第２のオーディオ入力と、前記第３のオーディオ入力とを合成して、前記出力オーディオにするように構成されている［１］に記載のワイヤレスヘッドセット。
［８］前記第１のトランシーバと前記第２のトランシーバは、ブルートゥーストランシーバである［１］に記載のワイヤレスヘッドセット。
［９］ワイヤレスヘッドセットでオーディオを出力する方法において、
前記ワイヤレスヘッドセットにおいて、第１のソースから第１のオーディオ入力を受信することと、
前記ワイヤレスヘッドセットにおいて、第２のソースから第２のオーディオ入力を受信することと、
前記第１のオーディオ入力と前記第２のオーディオ入力とを混合して出力オーディオにすることと、
前記ワイヤレスヘッドセットから前記出力オーディオを出力することとを含む方法。
［１０］前記混合することは、
前記第１のオーディオ入力と前記第２のオーディオ入力のそれぞれを重み付けし、それにより、重み付けしたオーディオ入力を生成させることと、
前記重み付けしたオーディオ入力を合計することとを含む［９］に記載の方法。
［１１］前記混合することは、
前記出力オーディオ中に前記第１のオーディオ入力のみを含めること、
前記出力オーディオ中に前記第２のオーディオ入力のみを含めること、または、
前記出力オーディオ中に前記第１のオーディオ入力と前記第２のオーディオ入力との双方を含めることにより、
前記第１のオーディオ入力と前記第２のオーディオ入力とを選択的に合成することを含む［９］に記載の方法。
［１２］前記第１のオーディオ入力は、音声を表す［９］に記載の方法。
［１３］前記第２のオーディオ入力は、ステレオオーディオを表す［５］に記載の方法。
［１４］マイクロフォンから第３のオーディオ入力を受信することと、
前記第１のオーディオ入力と、前記第２のオーディオ入力と、前記第３のオーディオ入力とを混合して、前記出力オーディオにすることとをさらに含む［９］に記載の方法。
［１５］第１のブルートゥーストランシーバと第２のブルートゥーストランシーバとにおいて、前記第１のオーディオ入力と、前記第２のオーディオ入力とをそれぞれ受信する［９］に記載の方法。
［１６］１つ以上のプロセッサにより実行可能な１組の命令を具現化するコンピュータ読取可能媒体において、
ワイヤレスヘッドセットにおいて、第１のソースから第１のオーディオ入力を受信するためのコードと、
前記ワイヤレスヘッドセットにおいて、第２のソースから第２のオーディオ入力を受信するためのコードと、
前記第１のオーディオ入力と前記第２のオーディオ入力とを混合して出力オーディオにするためのコードと、
前記ワイヤレスヘッドセットから前記出力オーディオを出力するためのコードとを含むコンピュータ読取可能媒体。
［１７］前記混合するためのコードは、
前記第１のオーディオ入力と前記第２のオーディオ入力のそれぞれを重み付けし、それにより、重み付けしたオーディオ入力を生成させるためのコードと、
前記重み付けしたオーディオ入力を合計するためのコードとを含む［１６］に記載のコンピュータ読取可能媒体。
［１８］前記混合するためのコードは、
前記出力オーディオ中に前記第１のオーディオ入力のみを含めること、
前記出力オーディオ中に前記第２のオーディオ入力のみを含めること、または、
前記出力オーディオ中に前記第１のオーディオ入力と前記第２のオーディオ入力との双方を含めることにより、
前記第１のオーディオ入力と前記第２のオーディオ入力とを選択的に合成するためのコードを含む［１６］に記載のコンピュータ読取可能媒体。
［１９］前記第１のオーディオ入力は、音声を表す［１６］に記載のコンピュータ読取可能媒体。
［２０］前記第２のオーディオ入力は、ステレオオーディオを表す［１９］に記載のコンピュータ読取可能媒体。
［２１］マイクロフォンから第３のオーディオ入力を受信するためのコードと、
前記第１のオーディオ入力と、前記第２のオーディオ入力と、前記第３のオーディオ入力とを混合して、前記出力オーディオにするためのコードとをさらに含む［１６］に記載のコンピュータ読取可能媒体。
［２２］装置において、
ワイヤレスヘッドセットにおいて、第１のソースから第１のオーディオ入力を受信する手段と、
前記ワイヤレスヘッドセットにおいて、第２のソースから第２のオーディオ入力を受信する手段と、
前記第１のオーディオ入力と前記第２のオーディオ入力とを混合して出力オーディオにする手段と、
前記ワイヤレスヘッドセットから前記出力オーディオを出力する手段とを具備する装置。
［２３］前記混合する手段は、
前記第１のオーディオ入力と前記第２のオーディオ入力のそれぞれを重み付けし、それにより、重み付けしたオーディオ入力を生成させる手段と、
前記重み付けしたオーディオ入力を合計する手段とを備える［２２］に記載の装置。
［２４］前記混合する手段は、
前記出力オーディオ中に前記第１のオーディオ入力のみを含めること、
前記出力オーディオ中に前記第２のオーディオ入力のみを含めること、または、
前記出力オーディオ中に前記第１のオーディオ入力と前記第２のオーディオ入力との双方を含めることにより、
前記第１のオーディオ入力と前記第２のオーディオ入力とを選択的に合成する手段を備える［２２］に記載の装置。
［２５］前記第１のオーディオ入力は、音声を表す［２２］に記載の装置。
［２６］前記第２のオーディオ入力は、ステレオオーディオを表す［２５］に記載の装置。
［２７］マイクロフォンから第３のオーディオ入力を受信する手段と、
前記第１のオーディオ入力と、前記第２のオーディオ入力と、前記第３のオーディオ入力とを混合して、前記出力オーディオにする手段とをさらに具備する［２２］に記載の装置。
［２８］前記受信する手段のそれぞれは、ブルートゥーストランシーバを含む［２２］に記載の装置。
［２９］前記第１のオーディオ入力または前記第２のオーディオ入力のうちの少なくとも１つに対して、時間変動利得を適用する手段をさらに具備する［２２］に記載の装置。
【国際調査報告】
2012511869.tif 000018
2012511869.tif 000019
2012511869.tif 000020